(57)【要約】      （修正有）【課題】ネジ及びスクリュードライバーを同時に収容できる収容装置を提供する。【解決手段】スリーブ１０及びチューブ管２０を備える。スリーブ内には収容孔が設けられ、スリーブ内側壁には固定溝が設置されている。固定溝は、収容孔と連接する。チューブ管は、収容プレート２１を備え、収容プレートは、取付面２１０を備え、取付面には、複数の通孔２１１が設けられ、複数のネジ２００を収容する。また、収容プレートの両側には対向する２つの支持プレートが設置され、２つの支持プレートは、スクリュードライバー３００を支持する。収容プレートには、更に固定溝に対応するロック突起２１３が設けられている。ロック突起と固定溝とを組み合わせて、収容プレートをスリーブの収容孔内に収容する。ロック突起を固定溝から離脱させることにより、収容プレートをスリーブから取り出すことができる。ロック突起と固定溝とを連接し、チューブ管をスリーブ内に固定して、ネジ及びスクリュードライバーを同時に収容する。【選択図】図３
0003199387.tif 000002
【実用新案登録請求の範囲】
【請求項１】
スリーブ及びチューブ管を備え、
前記スリーブ内には収容孔が設けられ、
前記スリーブの内側壁には固定溝が設置され、
前記固定溝と前記収容孔とは連接され、
前記チューブ管は、収容プレートを備え、
前記収容プレートは、取付面を備え、前記取付面には複数の通孔が設置されて、複数のネジを収容し、
前記収容プレートの両側には対向する２つの支持プレートが設置され、
前記２つの支持プレートは、スクリュードライバーを支持し、
前記収容プレートには、更に前記固定溝に対応するロック突起が設置されており、
前記ロック突起と前記固定溝とを組み合わせて、前記収容プレートを前記スリーブの収容孔内に収容し、
前記ロック突起を前記固定溝から脱離させて、前記収容プレートを前記スリーブから取り出すことを特徴とする収容装置。
【請求項２】
前記スリーブは、主体と、前記主体の一端と連接するカバーと、を備え、
前記収容孔は、前記主体を貫通し、
前記カバーは、本体と、前記本体の一端と連接する第一ロック部と、を備え、
前記主体内には、第一ロック部に対応するロック溝が設置され、
前記第一ロック部と前記ロック溝とを組み合わせて、前記主体と前記カバーとを連接して固定することを特徴とする請求項１に記載の収容装置。
【請求項３】
前記カバーは、更に本体と連接する第一固定部を備え、
前記第一固定部及び前記第一ロック部は、前記カバーの同側に設置され、
前記固定溝は、前記第一固定部内に設けられていることを特徴とする請求項２に記載の収容装置。
【請求項４】
前記収容プレートの取付面から離れている表面にはガスケットが固定され、
前記ガスケットには、前記通孔に対応するネジ孔が設置され、
前記ネジ孔と前記通孔とを合わせて、ネジを前記収容プレートに固定することを特徴とする請求項１に記載の収容装置。
【請求項５】
前記収容プレートの前記取付面における前記通孔の周囲には突出部が設置されており、
前記突出部は、前記通孔内に貫通された前記ネジに接触することを特徴とする請求項４に記載の収容装置。
【請求項６】
前記スリーブ内には、更に前記収容孔と連接する収容溝が設置され、
前記取付面における側壁には、前記スリーブの軸方向に沿ってレールが設置され、
前記レールは、前記収容溝に収容され、前記収容プレートは、前記スリーブ内で移動することを特徴とする請求項１に記載の収容装置。
【請求項７】
前記チューブ管は、前記収容プレートの一端と連接する円板と、前記円板の前記収容プレートから離れている側と連接するケース体と、を備え、
前記円板は、前記収容プレートが完全に前記収容孔内に収容された際に前記収容孔を密閉し、
前記スリーブから離れている方向に前記ケース体を引くことで、前記収容プレートを前記スリーブから取り出すことができることを特徴とする請求項１に記載の収容装置。
【請求項８】
前記収容プレートの前記円板と近接している一側には締付部が設置され、
前記締付部は、前記収容プレートが前記スリーブ内に収容された際、前記スリーブの内側壁と連接することを特徴とする請求項７に記載の収容装置。
【請求項９】
前記スリーブは透視プレートを備え、
前記スリーブの外面には貫通溝が設置され、
前記透視プレートは、前記スリーブの外面に固定されて、前記貫通溝を密閉することを特徴とする請求項１に記載の収容装置。
【請求項１０】
前記２つの支持プレートは、前記収容プレートの前記取付面から離れている一端に位置し、
前記２つの支持プレートの前記収容プレートから離れている箇所には、２つの支持部
が設置され、
前記２つの支持部の収容プレートから離れている一端には、弧状溝が対向して設置され、
前記スクリュードライバーは、前記支持プレートの支持部に挟まれ、前記弧状溝に収容され、前記収容プレートに固定されることを特徴とする請求項１に記載の収容装置。
【考案の詳細な説明】
【技術分野】
【０００１】
本考案は、収容装置に関し、特にネジ及びスクリュードライバーを同時に収容できる収容装置に関するものである。
【背景技術】
【０００２】
従来、多くの製品（例えば、電子装置等）が、組み立ての際にはネジを使用して製品を固定する。現在のネジは、サイズや形状によって分けられその種類は多岐にわたり、異なる製品に様々な種類のネジが使用されている。しかし、製品の解体又は組み立ての際、ネジは小さいため紛失しやすい。従って、予備のネジを事前に用意しておく必要がある。また、ネジを製品に取り付ける際は、ネジに対応するスクリュードライバーを利用して、ネジを固定しなければならないが、実際、スクリュードライバーはネジより大きく、ネジ及びスクリュードライバーを同時に収容できる収容装置は少ない。
【考案の概要】
【考案が解決しようとする課題】
【０００３】
以上の問題点に鑑みて、本考案は、ネジ及びスクリュードライバーを同時に収容できる収容装置を提供することを目的とする。
【課題を解決するための手段】
【０００４】
本考案の収容装置は、スリーブ及びチューブ管を備える。スリーブ内には収容孔が設けられ、スリーブ内の側壁には、固定溝が設置されている。固定溝は、収容孔と連接する。チューブ管は、収容プレートを備える。収容プレートは、取付面を備え、取付面には、複数の通孔が設けられており、複数のネジを収容する。また、収容プレートの両側には対向して２つの支持プレートが設置され、２つの支持プレートは、スクリュードライバーを支持する。収容プレートは、更に固定溝に対応するロック突起が設けられている。ロック突起と固定溝とを組み合わせて、収容プレートをスリーブの収容孔内に収容する。また、ロック突起を固定溝から離脱させることによって、収容プレートをスリーブから取り出すことができる。
【０００５】
スリーブは、主体と、主体の一端と連接されたカバーと、を備える。収容孔は、主体を貫通する。カバーは、本体と、本体の一端に連接された第一ロック部と、を備える。主体内には、第一ロック部に対応する一つロック溝が設けられている。第一ロック部とロック溝とを組み合わせて、主体とカバーとを連接する。
【０００６】
カバーは、本体と連接する第一固定部を備える。第一固定部及び第一ロック部は、カバーの同側に設置されている。固定溝は、第一固定部内に設けられている。
【０００７】
収容プレートの取付面から離れている表面にはガスケットが固定される。ガスケットには、通孔に対応するネジ孔が設けられている。ネジ孔と通孔とを合わせてネジを収容プレートに固定する。
【０００８】
収容プレートの取付面における通孔の周囲には、突出部が設置されており、突出部は、通孔内に貫通されたネジに接触する。
【０００９】
スリーブ内に収容孔と連接する収容溝を設置し、取付面における側壁には、スリーブの軸方向に沿ってレールが設置されている。レールは収容溝に収容されて、収容プレートはスリーブ内で移動することができる。
【００１０】
チューブ管は、収容プレートの一端と連接する円板と、円板の収容プレートから離れている側と連接するケース体と、を備える。円板は、収容プレートが収容孔内に完全に収容された際に収容孔を密閉する。スリーブをスリーブから離れている方向に引くことで、収容プレートをスリーブから取り出すことができる。
【００１１】
収容プレートの円板と近接している一側には締付部が設置されている。締付部は、収容プレートがスリーブ内に収容された際、スリーブの内側壁と連接する。
【００１２】
スリーブは、透視プレートを備える。スリーブの外面には貫通溝が設置されている。透視プレートは、スリーブの外面に固定され、貫通溝を密閉する。
【００１３】
２つの支持プレートは、収容プレートの取付面から離れている一端に位置する。２つの支持プレートの収容プレートから離れている箇所には、２つの支持部が設置されている。２つの支持部は、収容プレートから離れている一端に、弧状溝が互いに対向して設置されている。スクリュードライバーは、支持プレートの支持部に挟まれ、弧状溝に収容され、収容プレートに固定される。
【考案の効果】
【００１４】
本考案の収容装置は、チューブ管を利用し、ロック突起と固定溝を連接してチューブ管をスリーブ内に固定し、ネジ及びスクリュードライバーを同時に収容することができる。
【図面の簡単な説明】
【００１５】
【図１】図１は、本考案に係る収容装置の組立斜視図である。
【図２】図２は、図１に示した収容装置の分解斜視図である。
【図３】図３は、図２に示した収容装置の別の視覚から見た分解斜視図である。
【図４】図４は、図３に示した主体のＩＶ−ＩＶ線に沿った断面図である。
【図５】図５は、図２に示した収容装置のＶ部の拡大図である。
【図６】図６は、図２に示した収容装置のＶＩ部の拡大図である。
【図７】図７は、図３に示した収容装置のＶＩＩ部の拡大図である。
【考案を実施するための形態】
【００１６】
以下、図面に基づいて、本考案に係る収容装置について詳細に説明する。
【００１７】
図１〜図３を併せて参照すると、本考案の実施形態において、収容装置１００は、ネジ２００及びスクリュードライバー３００を収容する。収容装置１００は、スリーブ１０と、スリーブ１０内に収容するチューブ管２０と、を備える。
【００１８】
図４を併せて参照すると、スリーブ１０は、主体１１と、主体１１に連接するカバー１２と、を備える。また、主体１１は、その軸方向に沿って主体１１を貫通している収容孔１１１及び収容孔１１１に連接している収容溝１１２を備える。本実施形態において、収容溝１１２の数量は、２つである。２つの収容溝１１２は、収容孔１１１の両側にそれぞれ対称的に設置されている。
【００１９】
図５を併せて参照すると、カバー１２は、本体１２１と、本体１２１の一端に設けられている第一ロック部１２２及び第一固定部１２３と、を備える。第一ロック部１２２における本体１２１から離れている一端には、第一フック１２２１が設けられている。該第一フック１２２１は、収容孔１１１内に収容された際に、主体１１内の一つロック溝（図示せず）に係合される。これにより、カバー１２を主体１１内に収容して固定して、収容孔１１１の一端を密閉する。第一固定部１２３は、弧状を呈し、本体１２１のエッジに固定されている。第一固定部１２３における本体１２１の中心に近接している一側には、一つの台形の溝１２３１が設けられている。また、該台形の溝１２３１内には、さらに第一固定部１２３を貫通している固定溝１２３２が設けられている。本実施形態において、カバー１２には、更に第一突起部１２４が設置されており、該第一突起部１２４は、収容孔１１１内に差し込まれた後、カバー１２の主体１１に対する回転を防止する。また、第一ロック部１２２と、第一固定部１２３と、第一突起部１２４と、は互いに間隔を開けて本体１２１の一側にそれぞれ設置されている。
【００２０】
勿論、主体１１とカバー１２との連接方式は他の方式（例えば、一体成型）でもよい。
【００２１】
図７を併せて参照すると、チューブ管２０は、収容プレート２１と、当該収容プレート２１の一端に連接される円板２２と、を備える。また、収容プレート２１には、取付面２１０が設置されており、該取付面２１０には、ネジ２００を収容するための通孔２１１が設けられている。本実施形態において、通孔２１１の数量は複数である。収容プレート２１の取付面２１０から離れている一面には、ガスケット２１２が固定されており、ガスケット２１２には、収容プレート２１の通孔２１１に対応してネジ孔２１２１が設置されている。ガスケット２１２と収容プレート２１とを固定し、ネジ２００を取付面２１０を介して通孔２１１に貫通させて、ガスケット２１２のネジ孔２１２１と連接させ、ネジ２００を収容プレート２１に貫通させて固定する。本実施形態において、収容プレート２１の取付面２１０上には、各通孔２１１を中心として、３つの突出部２１１１がそれぞれ突出して設置されている。これにより、ネジ２００を通孔２１１に貫通させる際、ネジ２００の頭部と収容プレート２１との間にギャップができるので、ネジ２００を手動によって取り出すことができる。収容プレート２１の取付面２１０の円板２２から離れている一端には、ロック突起２１３が突出して設置されている。また、ロック突起２１３の収容プレート２１から離れている部分には、チャンファーが設けられている。ロック突起２１３と固定溝１２３２とを組み合わせて、チューブ管２０をスリーブ１０に固定する。収容プレート２１の円板２２に近接している一側には、更に、締付部２１４が設置されている。該締付部２１４と主体１１内の側壁とを連接することで、チューブ管２０のスリーブ１０に対する揺れを防止する。
【００２２】
収容プレート２１の取付面２１０から離れている一側には、ブロック２１５と支持プレート２１６が突出して設置されている。本実施形態において、ブロック２１５は２つである。また、各ブロック２１５の収容プレート２１から離れている一側には、弧状溝２１５１がそれぞれ設けられている。支持プレート２１６の数量は２つである。各支持プレート２１６の収容プレート２１から離れている一端には、支持部２１６１がそれぞれ設置されている。２つの支持プレート２１６は、収容プレート２１の両側に、且つ対向して設けられている。また、各支持部２１６１の収容プレート２１から離れている一端には、弧状溝２１６２が対向して設けられている。スクリュードライバー３００は、２つの支持プレート２１６の支持部２１６１に挟まれ、弧状溝２１５１と弧状溝２１６２に収容され、収容プレート２１に固定される。
【００２３】
また、ブロック２１５及び支持プレート２１６は取付面２１０上に設置し、スクリュードライバー３００を取付面２１０の一側に収容してもよい。
【００２４】
収容プレート２１の取付面２１０の側壁には、スリーブ１０の軸に平行して、且つ収容溝１１２に対応するレール２１７が形成されている。チューブ管２０は、該レール２１７を介して収容溝１１２に収容される。これにより、収容プレート２１は、スリーブ１０内に安定して収容される。
【００２５】
図６及び図７を併せて参照すると、本実施形態において、円板２２の収容プレート２１から離れている一端には、第二ロック部２２１と、第二固定部２２２と、第二突起部２２３と、を備える。第二ロック部２２１の円板２２から離れている一端には、第二フック２２１１が設置されている。第二固定部２２２には、円板２２の中心部から外側に向けてロック溝２２２１が設けられている。また、第二突起部２２３において、円板２２に近接している一端から円板２２から離れている一端に向けてスライド溝２２３１が設けられている。チューブ管２０は、円板２２に連接するケース体２３を備える。ケース体２３内には、第三ロック部２３１及び突部２３２が突出している。また、第三ロック部２３１のケース３０に設置されている一端と反対の他端には、外側に向けて第三フック２３１１が設けられている。更に、ケース３０内にはロック溝（図示せず）が形成されている。円板２２の第二フック２２１１とケース体２３のロック溝を組み合わせて、また、ケース体２３の第三フック２３１１と円板２２のロック溝２２２１を組み合わせ、ケース体２３の突部２３２の一端を円板２２のスライド溝２２３１内に収容して、ケース体２３と円板２２とを連接して固定する。円板２２は、収容プレート２１が収容孔１１１に完全に収容された際、収容孔１１１の一端を密閉する。ケース体２３を、スリーブ１０から離れる方向に引き出すと、収容プレート２１を主体１１から取り出すことができる。
【００２６】
スリーブ１０は、更に透視プレート１３を備え、主体１１の外面には、主体１１の長手方向に沿って貫通溝１１３が設けられている。透視プレート１３は、主体１１の外面に固定されて貫通溝１１３を密閉する。透視プレート１３により、スリーブ１０の内部に収容されているネジ２００を見ることができる。
【００２７】
収容装置１００を組み立てる際、先ず、カバー１２を主体１１内の一端に収容して固定した後、透視プレート１３を主体１１の外面に固定して、貫通溝１１３を密閉する。次に、ガスケット２１２を、収容プレート２１の取付面２１０から離れている一面に固定する。ケース体２３と円板２２とを連接して固定した後、収容プレート２１の円板２２から離れている一端を、主体１１のカバー１２から離れている一端から収容孔１１１内に挿入し、２つのレール２１７と該２つのレール２１７に対応する２つの収容溝１１２とを組み合わせて、チューブ管２０を徐々に収容孔１１１内に収容する。次いで、ロック突起２１３と固定溝１２３２とをロック（係合）させる。以上により、収容装置１００の組み立ては完了する。
【００２８】
ネジ２００及びスクリュードライバー３００を収容したい場合、大きい力によりケース体２３を、スリーブ１０から離れている方向に引いて、ロック突起２１３と固定溝１２３２とのロックを解除し、ネジ２００を収容プレート２１の取付面２１０の一側から通孔２１１を貫通させ、ネジ２００とガスケット２１２とを連接し、ネジ２００の頭部と突出部２１１１とを連接させる。次に、スクリュードライバー３００を、支持プレート２１６の２つの支持部２１６１に挟むように弧状溝２１５１と弧状溝２１６２に収容し、収容プレート２１と連接して固定する。次に、収容プレート２１の円板２２から離れている一端を、スリーブ１０内に挿入して、ロック突起２１３と固定溝１２３２とを組み合わせる。ネジ２００及びスクリュードライバー３００を使用したい場合、チューブ管２０をスリーブ１０から引き出して、ネジ２００或いはスクリュードライバー３００をチューブ管２０から取り外す。
【００２９】
本考案における収容装置１００は、チューブ管２０を利用して、ネジ２００及びスクリュードライバー３００を同時に収容することができる。つまり、ロック突起２１３と固定溝１２３２とを組み合わせて、チューブ管２０をスリーブ１０内に固定して、ネジ２００とスクリュードライバー３００を同時に収容することができる。
【符号の説明】
【００３０】
１００  収容装置
１０  スリーブ
１１  主体
１１１  収容孔
１１２  収容溝
１１３  貫通溝
１２  カバー
１２１  本体
１２２  第一ロック部
１２３  第一固定部
１２２１  第一フック
１２３１  台形の溝
１２３２  固定溝
１２４  第一突起部
１３  透視プレート
２０  チューブ管
２１  収容プレート
２１０  取付面
２１１  通孔
２１２  ガスケット
２１１１  突出部
２１２１  ネジ孔
２１３  ロック突起
２１４  締付部
２１５  ブロック
２１６  支持プレート
２１５１、２１６２  弧状溝
２１６１  支持部
２１７  レール
２２  円板
２２１  第二ロック部
２２２  第二固定部
２２３  第二突起部
２２１１  第二フック
２２２１  ロック溝
２２３１  スライド溝
２３  ケース体
２３１  第三ロック部
２３２  突部
２３１１  第三フック
２００  ネジ
３００  スクリュードライバー
【図１】
0003199387.tif 000003
【図２】
0003199387.tif 000004
【図３】
0003199387.tif 000005
【図４】
0003199387.tif 000006
【図５】
0003199387.tif 000007
【図６】
0003199387.tif 000008
【図７】
0003199387.tif 000009